【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
患者の頭蓋内圧（ＩＣＰ）を決定する方法であって、
該患者の眼の血管を観察することと、
該眼の内部の圧力を増加させることと、
該眼の内部の該圧力の増加に応答して、人間の介入なしにコントローラによって、該観察された血管がいつ虚脱するかを決定することと、
該血管が虚脱する時間またはその前後の時間における該眼の内部の該圧力を評価することと、
該眼の内部の該評価された圧力の関数として、人間の介入なしに該コントローラによって、該ＩＣＰを評価することと
を包含する、方法。
【請求項２】
前記眼の内部の静止圧を決定することと、
該静止圧と該眼の内部の前記評価された圧力との組み合わせの関数として、前記ＩＣＰを評価することと
をさらに包含する、請求項１に記載の方法。
【請求項３】
前記観察することは、
前記患者の眼に光を照らすことと、
該患者の眼において該光が輝くとき、該患者の眼から複数の画像を電子的に取得することと、
該取得された画像の各々を電子的に処理することと
をさらに包含する、請求項１に記載の方法。
【請求項４】
前記光が赤色スペクトルおよび／またはＩＲスペクトルの光であること、または
各画像が該赤色スペクトルおよび／またはＩＲスペクトルにおいて取得されること
のうちの少なくとも１つである、請求項３に記載の方法。
【請求項５】
前記決定することは、前記複数の電子的に処理された画像から、前記血管がいつ虚脱するかを決定することを包含する、請求項３に記載の方法。
【請求項６】
前記血管は、４００〜２５００ｎｍ、４００〜１０００ｎｍ、５００〜１０００ｎｍ、６００〜１０００ｎｍ、および６００〜７００ｎｍのうちの１つの間の波長で観察される、請求項１に記載の方法。
【請求項７】
前記観察することは、赤色スペクトルおよび／またはＩＲスペクトルにおいて、前記血管の血液の体積を検出することによって達成され、
前記決定することは、該赤色スペクトルおよび／または該ＩＲスペクトルにおいて該血管の少なくとも一部分における該血液の体積の減少を検出することによって達成される、請求項１に記載の方法。
【請求項８】
前記血管は、前記眼の網膜中心静脈である、請求項１に記載の方法。
【請求項９】
患者の頭蓋内圧（ＩＣＰ）を決定するための装置であって、
該装置は、
該患者の眼の内部の複数の画像を電子的に取得するためのデバイスと、
該眼の外部に負荷を加えることによって該眼の内部の圧力を増加させるための圧力負荷デバイスと、
該圧力負荷デバイスによって該眼の外部に加えられた該負荷の量を電子的に決定するための負荷検出器と、
コントローラと
を備え、
該コントローラは、該デバイスによって取得された該画像を処理することにより、該眼の内部の該圧力の増加に応答して、人間の介入なしに、該眼の内部の血管がいつ虚脱するかを決定し、該血管が虚脱する時間またはその前後の時間における、該圧力負荷デバイスによって該眼の外部に加えられた該負荷の量を該負荷検出器から取得し、該血管が虚脱する時間またはその前後の時間における、該眼の外部に加えられた該負荷の量の関数として、該ＩＣＰを決定する、装置。
【請求項１０】
前記眼の内部に光を照らす光源をさらに含む、請求項９に記載の装置。
【請求項１１】
前記光が赤色スペクトルおよび／または赤外（ＩＲ）スペクトルの光であること、または
前記デバイスが該赤色スペクトルおよび／または該ＩＲスペクトルの画像を取得すること
のうちの少なくとも１つである、請求項１０に記載の装置。
【請求項１２】
前記眼の外部に加えられる負荷が存在しないときの該眼の内部の静止圧を決定するためのシステムをさらに含み、前記コントローラは、該血管が虚脱する時間またはその前後の時間における、該眼の内部の該静止圧と、該眼の外部に加えられた該負荷の量との組み合わせの関数として、前記ＩＣＰを決定する、請求項９に記載の装置。
【請求項１３】
前記コントローラは、前記取得された画像のうちの２つ以上を比較し、該比較から、前記血管の血液の体積の量の減少がいつ発生するかを決定することにより、該血管がいつ虚脱するかを決定する、請求項９に記載の装置。
【請求項１４】
患者の頭蓋内圧（ＩＣＰ）を決定する方法であって、
患者の眼の内部の血管の赤外電子画像を取得することと、
該取得された電子画像から該血管が虚脱していることが決定されるまで、該眼の外部に増加する負荷を加えることであって、該加えることの結果、該眼の内部の圧力は増加する、ことと、
該血管が虚脱する時間またはその前後の時間における、該眼の外部に加えられた該負荷を決定することと、
該血管が虚脱する時間またはその前後の時間における、該眼の外部に加えられた該負荷の関数として、該ＩＣＰを評価することと
を包含する、方法。
【請求項１５】
前記電子画像は、デバイスによって赤外スペクトルにおいて取得される、請求項１４に記載の方法。
【請求項１６】
取得された電子的なＩＲ画像を可視スペクトルにおける対応する画像に変換することと、
前記血管がいつ虚脱するかを該可視スペクトルにおける該画像を介して手動で決定することと
をさらに包含する、請求項１５に記載の方法。
【請求項１７】
前記取得された電子画像から前記血管がいつ虚脱するかを自動的に決定することと、
前記眼の外部に加えられた負荷を決定することにおいて加えられる負荷を自動的に決定することと、
前記評価することにおいて前記ＩＣＰを自動的に決定することと
をさらに包含する、請求項１４に記載の方法。
【請求項１８】
前記眼の外部に加えられる負荷が存在しないときの該眼の内部の静止圧を決定することをさらに包含し、前記評価することは、該静止圧の関数として、前記ＩＣＰを評価することを包含する、請求項１４に記載の方法。
【請求項１９】
前記決定することは、前記血管が虚脱する時間またはその前後の時間における、前記眼の外部に加えられると決定された負荷に基づいて、かつ、前記増加する負荷を該眼に加えるために用いられるデバイスの少なくとも１つの特性に基づいて、該眼に加えられる実際の負荷を評価することを包含し、
前記評価することは、該眼に加えられる該評価された実際の負荷と該静止圧との和を取ることを包含する、請求項１８に記載の方法。
【請求項２０】
前記眼の外部に増加する負荷を加えることは、該眼の外部に正圧または負圧のいずれかを加えることを包含する、請求項１４に記載の方法。
【請求項２１】
前記負圧を加えることは、真空ソースに結合された吸盤を適用することを包含し、
前記ＩＣＰを評価することは、該吸盤の直径を評価することを包含し、
前記血管が虚脱する時間またはその前後の時間における該眼の外部に加えられると決定された負荷は、圧力トランスデューサから決定される、請求項２０に記載の方法。
【請求項２２】
患者の頭蓋内圧（ＩＣＰ）を決定する方法であって、
該患者の眼の血管を観察することと、
該眼の内部の圧力を増加させることと、
該眼の内部の該圧力の増加に応答して、人間の介入なしにコントローラによって、該観察された血管がいつ虚脱するかを決定することと、
該血管が虚脱する時間またはその前後の時間における該眼の内部の該圧力を評価することと、
該眼の内部の該評価された圧力の関数として、該コントローラ上で該ＩＣＰを評価することと
を包含する、方法。
【請求項２３】
前記観察することは、
前記患者の眼に光を照らすことと、
該患者の眼において該光が輝くとき、該患者の眼から複数の画像を電子的に取得することと、
該取得された画像の各々を電子的に処理することと
をさらに包含する、請求項２２に記載の方法。
【請求項２４】
前記観察することは、
前記患者の眼に光を照らすことと、
該患者の眼において該光が輝くとき、該患者の眼から複数の画像を電子的に取得することと、
該取得された画像の各々を電子的に処理することと
をさらに包含し、
該光が赤色スペクトルおよび／またはＩＲスペクトルの光であること、または
各画像が該赤色スペクトルおよび／またはＩＲスペクトルにおいて取得されること
のうちの少なくとも１つである、請求項２２に記載の方法。
【請求項２５】
前記観察することは、
前記患者の眼に光を照らすことと、
該患者の眼において該光が輝くとき、該患者の眼から複数の画像を電子的に取得することと、
該取得された画像の各々を電子的に処理することと
をさらに包含し、
自動的に決定することは、該複数の電子的に処理された画像から、該血管がいつ虚脱するかを自動的に決定することを包含する、請求項２２に記載の方法。
【請求項２６】
前記血管は、４００〜２５００ｎｍの間の波長で観察される、請求項２２に記載の方法。
【請求項２７】
前記血管は、４００〜１０００ｎｍの間の波長で観察される、請求項２２に記載の方法。
【請求項２８】
前記血管は、５００〜１０００ｎｍの間の波長で観察される、請求項２２に記載の方法。
【請求項２９】
前記血管は、６００〜１０００ｎｍの間の波長で観察される、請求項２２に記載の方法。
【請求項３０】
前記血管は、６００〜７００ｎｍの間の波長で観察される、請求項２２に記載の方法。
【請求項３１】
患者の頭蓋内圧（ＩＣＰ）を決定する方法であって、
赤外画像を取得するように動作可能なデバイスを介して該患者の眼の血管を観察することと、
該眼の内部の圧力を増加させることと、
該眼の内部の該圧力の増加および該取得された赤外画像に応答して、該デバイスを介して、該観察された血管がいつ虚脱するかを決定することと、
該血管が虚脱する時間またはその前後の時間における該眼の内部の該圧力を評価することと、
該眼の内部の該評価された圧力の関数として、該ＩＣＰを評価することと
を包含する、方法。
【請求項３２】
前記血管は、４００〜２５００ｎｍの間の波長で観察される、請求項３１に記載の方法。
【請求項３３】
前記血管は、４００〜１０００ｎｍの間の波長で観察される、請求項３１に記載の方法。
【請求項３４】
前記血管は、５００〜１０００ｎｍの間の波長で観察される、請求項３１に記載の方法。
【請求項３５】
前記血管は、６００〜１０００ｎｍの間の波長で観察される、請求項３１に記載の方法。
【請求項３６】
前記血管は、６００〜７００ｎｍの間の波長で観察される、請求項３１に記載の方法。
【請求項３７】
患者の頭蓋内圧（ＩＣＰ）を非侵襲的に決定する方法であって、
眼の血管の電子画像を取得することと、
人間の介入なしで、該取得された電子画像から該血管が虚脱していることがコントローラによって決定されるまで、該眼の外部に増加する負荷を加えることと、
該決定された虚脱に関連する該眼の外部に加えられた負荷を決定することと、
該関連する負荷の関数として、該ＩＣＰを評価することと
を包含する、方法。
【請求項３８】
前記電子画像は、デバイスによって赤色スペクトルおよび／または赤外スペクトルにおいて取得される、請求項３７に記載の方法。
【請求項３９】
取得された電子的な赤色画像および／またはＩＲ画像を可視スペクトルにおける対応する画像に変換することをさらに包含する、請求項３７に記載の方法。
【請求項４０】
前記評価することにおいて前記ＩＣＰを決定することをさらに包含する、請求項３７に記載の方法。